(57)【要約】【課題】容器本体部の内径よりも小さい内径を有する口部を備える容器内に、容器本体部の内径よりやや小さく、且つ、口部の内径よりも大きい浮蓋を簡単に収容できるようにした浮蓋、及び、容器本体部の内径よりも小さい内径を有する口部とを備える容器内に、そのような浮蓋を備える、溶液収容容器を提供する。【解決手段】溶液Ｌの液面に浮力の作用で浮く部材で形成され、且つ、部材に，切れ目Ｃ１により、帯状部Ｂ１を形成した。【選択図】図２
2008110775.tif 000002
【特許請求の範囲】
【請求項１】
溶液の液面に浮力の作用で浮く部材で形成され、且つ、
前記部材に，切れ目により、帯状部を形成した、浮蓋。
【請求項２】
前記帯状部が、渦巻き形状の切れ目により形成されている、請求項１に記載の浮蓋。
【請求項３】
前記渦巻き形状の切れ目により形成されている帯状部の幅が、外側が概ね広く、内側に行くに従って、幅が狭くなっている、請求項２に記載の浮蓋。
【請求項４】
前記帯状部が、前記部材の一方端から他方端までの途中の位置まで設けられた切れ目と、前記部材の他方端から一方端までの途中の位置まで設けられた切れ目とを交互に設けることによりにより形成されている、請求項１に記載の浮蓋。
【請求項５】
前記他方端までの途中の位置及び前記一方端までの途中の位置の各々には、
前記部材の一方端から他方端までの途中の位置まで設けられた切れ目、及び、前記部材の他方端から一方端までの途中の位置まで設けられた切れ目に交差するように切れ目を備える、請求項４に記載の浮蓋。
【請求項６】
容器本体部と、前記容器本体部の上方位置に、前記容器本体部の内径よりも小さい内径を有するくびれ部とを備える容器と、  
前記容器本体部内に、前記容器本体部の内径形状に合わせた形状の、請求項１〜請求項５のいずれかに記載の浮蓋とを備え、
前記浮蓋の外径が、前記容器本体部の内径よりやや小さく、前記くびれ部の内径よりも大きく、且つ、
前記浮蓋に切れ目により形成されている帯状部の幅が、前記くびれ部の内径よりも小さくされている、溶液収容容器。
【発明の詳細な説明】
【技術分野】
【０００１】
本発明は、浮蓋及び溶液収容容器に関し、特に、容器本体部の上方位置に、容器本体部の内径よりも小さい内径を有するくびれ部（例えば、口部）を備える容器内に、容器本体部の内径よりやや小さく、且つ、くびれ部（例えば、口部）の内径よりも大きい浮蓋を簡単に収容できるようにした浮蓋、及び、容器本体部の上方位置に容器本体部の内径よりも小さい内径を有するくびれ部（例えば、口部）とを備える容器内に、そのような浮蓋を備える、溶液収容容器に関する。
【背景技術】
【０００２】
図５は、従来の、浮蓋を備える容器を概略的に示す部分断面図である。
【０００３】
この液状食品の容器１０１は、液状食品を収容する筒形の容器本体部１０２ａと、容器本体部１０２ａの内部に、容器本体部１０２ａの横断面の内径形状に合わせた形状の浮蓋１０３とを備える。
【０００４】
この液状食品の容器１０１では、浮蓋１０３により、容器本体部１０２ａの内部に存在する空気と液状食品Ｌとが、液状食品Ｌを使用する時間以外の時間においては、遮断状態に保たれるので、この液状食品の容器１０１には、液状食品の容器１０１内に収容されている液状食品Ｌが、空気との接触により変敗するのが防止される、という効果がある。
【特許文献１】特開平１１−１３０１１０号  ところで、プラスチックボトルやガラス瓶は、例えば、ダイレクトブロー成型法や、インジェクションブロー成型法や、ニ軸延伸ブロー成型法などによって製造されているため、内部に、予め、浮蓋のような部材の入ったプラスチックボトルやガラス瓶を製造するのは困難である。
【０００５】
従って、プラスチックボトルやガラス瓶内に、浮蓋を収容するには、口部１０２ｂから浮蓋１０３を容器本体部１０２ａ内に収容する必要がある。
【０００６】
しかしながら、図５に示す液状食品の容器１０１は、口部１０２ｂの内径Ｄ１０２ｂｉが、容器本体部１０２ａの内径Ｄ１０２ａｉよりも小さいため、容器１０１の製造後において、容器本体部１０２ａの内部に、口部１０２ｂの内径Ｄ１０２ｂｉよりも大きな外径Ｄ１０４ｏを有する浮蓋１０３を収容するのが困難である、という問題がある。
【発明の開示】
【発明が解決しようとする課題】
【０００７】
本発明は、以上のような問題を解決するためになされたものであって、容器本体部の上方位置に、容器本体部の内径よりも小さい内径を有するくびれ部（例えば、口部）を備える容器内に、容器本体部の内径よりやや小さく、且つ、くびれ部（例えば、口部）の内径よりも大きい浮蓋を簡単に収容できるようにした浮蓋を提供すること、及び、容器本体部の上方位置に容器本体部の内径よりも小さい内径を有するくびれ部（例えば、口部）とを備える容器内に、そのような浮蓋を備える、溶液収容容器を提供することを目的としている。
【課題を解決するための手段】
【０００８】
請求項１に記載の浮蓋は、溶液の液面に浮力の作用で浮く部材で形成され、且つ、部材に，切れ目により、帯状部を形成した。
【０００９】
尚、「溶液の液面に浮力の作用で浮く部材」は、溶液収容容器内に収容する溶液の比重より軽い材料であれば、特に限定されることはない。
【００１０】
また、この浮蓋を収容する溶液収容容器が、容器本体部と、容器本体部の上方位置に、容器本体部の内径よりも小さい内径を有するくびれ部（例えば、口部）とを備えるものである場合にあって、この浮蓋が、溶液収容容器の容器本体部の内径形状に合わせた形状をしており、且つ、この浮蓋の外径が、容器本体部の内径よりも小さく、且つ、くびれ部（例えば、口部）の内径よちも大きい場合にあっては、部材に切れ目により形成する帯状部の幅は、くびれ部（例えば、口部）の内径よりも小さいことが好ましい。
【００１１】
尚、本明細書で用いる用語、「くびれ部」は、容器本体部の上方位置に容器本体部の内径よりも小さい内径（最小の内径）を有する部分を意味する。
【００１２】
請求項２に記載の浮蓋は、請求項１に記載の浮蓋の、帯状部が、渦巻き形状の切れ目により形成されている。
【００１３】
請求項３に記載の浮蓋は、請求項２に記載の浮蓋の、渦巻き形状の切れ目により形成されている帯状部の幅が、外側が概ね広く、内側に行くに従って、幅が狭くなっている。
【００１４】
尚、本明細書で用いる用語「渦巻き形状の切れ目により形成されている帯状部の幅が、外側が概ね広く、内側に行くに従って、幅が狭くなっている。」は、外側の方の帯状部の幅が内側の帯状部の幅に比べ、全体的に、広くなっている関係がある、という意味であり、渦巻き形状の切れ目により形成されている帯状部の幅が、外側端部及びその近傍部や、最外側において、その幅が、必ずしも、その内側に帯状部の幅に比べて狭くなくても良い、ということを意味する。
【００１５】
請求項４に記載の浮蓋は、請求項１に記載の浮蓋の、帯状部が、部材の一方端から他方端までの途中の位置まで設けられた切れ目と、部材の他方端から一方端までの途中の位置まで設けられた切れ目とを交互に設けることによりにより形成されている。
【００１６】
請求項５に記載の浮蓋は、請求項４に記載の浮蓋の、他方端までの途中の位置及び一方端までの途中の位置の各々には、部材の一方端から他方端までの途中の位置まで設けられた切れ目、及び、部材の他方端から一方端までの途中の位置まで設けられた切れ目に交差するように切れ目を備える。
【００１７】
請求項６に記載の溶液収容容器は、容器本体部と、容器本体部の上方位置に、容器本体部の内径よりも小さい内径を有するくびれ部とを備える容器と、容器本体部内に、容器本体部の内径形状に合わせた形状の、請求項１〜請求項５のいずれかに記載の浮蓋とを備え、浮蓋の外径が、容器本体部の内径よりやや小さく、くびれ部の内径よりも大きく、且つ、浮蓋に切れ目により形成されている帯状部の幅が、くびれ部の内径よりも小さくされている。
【発明の効果】
【００１８】
請求項１に記載の浮蓋は、溶液の液面に浮力の作用で浮く部材に、切れ目により、帯状部を形成しているので、この浮蓋は、例えば、この浮蓋を収容する溶液収容容器が、容器本体部と、容器本体部の上方位置に、容器本体部の内径よりも小さい内径を有するくびれ部（例えば、口部）とを備えるものである場合にあって、この浮蓋の形状が、容器本体部の内径形状に合わせた形状にされており、且つ、浮蓋の外径が、容器本体部の内径よりやや小さく、且つ、容器のくびれ部（例えば、口部）の内径よりも大きい場合であっても、浮蓋を溶液収容容器内に収容する際に、帯状部を、順次、その一端から他端にかけて、くびれ部（例えば、口部）を介して、容器本体部内に入れていくことで、溶液収容容器の容器本体部内に、浮蓋を、簡単に、収容することができる。
【００１９】
請求項２に記載の浮蓋は、請求項１に記載の浮蓋の、帯状部を、渦巻き形状の切れ目により形成しているので、この浮蓋は、例えば、この浮蓋を収容する溶液収容容器が、容器本体部と、容器本体部の上方位置に、容器本体部の内径よりも小さい内径を有するくびれ部（例えば、口部）とを備えるものである場合にあって、この浮蓋の形状が、容器本体部の内径形状に合わせた形状にされており、且つ、浮蓋の外径が、容器本体部の内径よりやや小さく、且つ、容器のくびれ部（例えば、口部）の内径よりも大きい場合であっても、浮蓋を溶液収容容器内に収容する際に、渦巻き形状の帯状部を解いた状態にして、順次、その一端から他端にかけて、くびれ部（例えば、口部）を介して、容器本体部内に入れていくことで、溶液収容容器の容器本体部内に、浮蓋を、簡単に、収容することができる。
【００２０】
請求項３に記載の浮蓋は、請求項２に記載の浮蓋の、渦巻き形状の切れ目により形成されている帯状部の幅が、外側が概ね広く、内側に行くに従って、幅が狭くなっているので、渦巻き形状の切れ目により形成されている帯状部の幅を同じ幅又は概ね同じ幅にしているものより、渦巻き形状の切れ目により形成されている帯状部の巻き数を少なくできる。
【００２１】
即ち、この浮蓋は、渦巻き形状の切れ目により形成されている帯状部の幅を同じ幅又は概ね同じ幅にしている浮蓋に比べ、巻き数を少なくできた分だけ、容器本体部と、容器本体部の上方位置に容器本体部の内径よりも小さい内径を有するくびれ部（例えば、口部）とを備える容器内に、容易に収容できる。
【００２２】
請求項４に記載の浮蓋は、請求項１に記載の浮蓋の、帯状部を、部材の一方端から他方端までの途中の位置まで設けられた切れ目と、部材の他方端から一方端までの途中の位置まで設けられた切れ目とを交互に設けることによりにより形成しているので、この浮蓋は、例えば、この浮蓋を収容する溶液収容容器が、容器本体部と、容器本体部の上方位置に、容器本体部の内径よりも小さい内径を有するくびれ部（例えば、口部）とを備えるものである場合にあって、この浮蓋の形状が、容器本体部の内径形状に合わせた形状にされており、且つ、浮蓋の外径が、容器本体部の内径よりやや小さく、且つ、容器のくびれ部（例えば、口部）の内径よりも大きい場合であっても、浮蓋を溶液収容容器内に収容する際に、部材の一方端から他方端までの途中の位置まで設けられた切れ目と、部材の他方端から一方端までの途中の位置まで設けられた切れ目とを交互に設けることによりにより形成した形状の帯状部を解いた状態にして、順次、その一端から他端にかけて、くびれ部（例えば、口部）を介して、容器本体部内に入れていくことで、溶液収容容器の容器本体部内に、浮蓋を、簡単に、収容することができる。
【００２３】
請求項５に記載の浮蓋は、請求項４に記載の浮蓋の、他方端までの途中の位置及び一方端までの途中の位置の各々には、部材の一方端から他方端までの途中の位置まで設けられた切れ目、及び、部材の他方端から一方端までの途中の位置まで設けられた切れ目に交差するように切れ目を形成している。
【００２４】
この結果、この浮蓋は、部材の一方端から他方端までの途中の位置まで設けられた切れ目と、部材の他方端から一方端までの途中の位置まで設けられた切れ目とを交互に設けることによりにより形成した形状の帯状部を解いた状態にした際に生じる、部材の一方端から他方端までの途中の位置まで設けられた切れ目と、部材の他方端から一方端までの途中の位置まで設けられた切れ目との間の引きつれ現象が、この浮蓋に設けられている、他方端までの途中の位置及び一方端までの途中の位置の各々には、部材の一方端から他方端までの途中の位置まで設けられた切れ目、及び、部材の他方端から一方端までの途中の位置まで設けられた切れ目に交差するように設けられている切れ目により緩和される。
【００２５】
この結果、この浮蓋は、例えば、この浮蓋を収容する溶液収容容器が、容器本体部と、容器本体部の上方位置に、容器本体部の内径よりも小さい内径を有するくびれ部（例えば、口部）とを備えるものである場合にあって、この浮蓋の形状が、容器本体部の内径形状に合わせた形状にされており、且つ、浮蓋の外径が、容器本体部の内径よりやや小さく、且つ、容器のくびれ部（例えば、口部）の内径よりも大きい場合であっても、浮蓋を溶液収容容器内に収容する際に、部材の一方端から他方端までの途中の位置まで設けられた切れ目と、部材の他方端から一方端までの途中の位置まで設けられた切れ目とを交互に設けることによりにより形成した形状の帯状部を解いた状態にして、順次、その一端から他端にかけて、くびれ部（例えば、口部）を介して、容器本体部内に入れていくことで、溶液収容容器の容器本体部内に、浮蓋を、簡単に、収容することができる。
【００２６】
請求項５に記載の溶液収容容器は、浮蓋の外径が、容器本体部の内径よりやや小さく、くびれ部（例えば、口部）の内径よりも大きくされているものの、浮蓋に切れ目により形成されている帯状部の幅が、くびれ部（例えば、口部）の内径よりも小さくされているので、浮蓋を切れ目に従って解いた状態にすることで、順次、その一端から他端にかけて、くびれ部（例えば、口部）を介して、容器本体部内に入れていくことで、溶液収容容器の容器本体部内に、浮蓋を、簡単に、収容することができる。
【発明を実施するための最良の形態】
【００２７】
以下、本発明に係る浮蓋、及び、そのような浮蓋を備える溶液収容容器を実施例に基づいて、例示的に、更に、詳しく説明する。
（実施例１）
図１は、本発明に係る溶液収容容器の一例をその一部を切り欠いて概略的に示す部分断面図である。
【００２８】
この溶液収容容器１は、図１に示すように、容器本体部２ａと、容器本体部２ａの上方位置に容器本体部２ａの内径Ｄ２ａｉよりも小さい内径Ｄ２ｂｉ（Ｄ２ｂｉ＜＜Ｄ２ａｉ）を有するくびれ部（この例では、口部）２ｂとを備える容器２と、容器本体部２ａ内に、容器本体部２ａの内径形状に合わせた形状の浮蓋３とを備える。
【００２９】
尚、溶液収容容器１内に収容される溶液Ｌは、例えば、醤油、ソースその他の液体調味料、食用油、ワイン、日本酒その他の酒類、コーヒー、紅茶のような液体食品であっても、また、例えば、感光材料を現像処理する自動現像機に付設する補充液のようなものであっても、化粧水、香水その他の液状の化粧品であってもよい。
【００３０】
図２は、浮蓋（本発明に係る浮蓋の一例）３を概略的に示す平面図である。
【００３１】
浮蓋３は、溶液収容容器１内に収容される溶液の液面に浮力の作用で浮く部材で形成されている。
【００３２】
浮蓋３は、例えば、溶液収容容器１内に収容される溶液が、例えば、醤油、ソースその他の液体調味料食用油、ワイン、日本酒その他の酒類、コーヒー、紅茶のような液体食品や、また、例えば、感光材料を現像処理する自動現像機に付設する補充液のようなものであっても、そのような溶液よりも比重が小さい材料で製されておれば、特に限定されることはなく、例えば、ＰＰ樹脂や、発泡させたＰＥＴ樹脂その他の発泡樹脂その他の樹脂であってもよく、また、コルクのような木質のものであっても良い。
【００３３】
また、浮蓋３の厚みＤ３は、特に限定されることはないが、例えば、０．２ｍｍ以上１０ｍｍ以下、より好ましくは、０．３ｍｍ以上５ｍｍ以下であれば、充分な厚さである。
【００３４】
尚、この例では、浮蓋３は、ＰＰ樹脂で製されており、厚さが０．４ｍｍのものを例示している。
【００３５】
この浮蓋３は、溶液収容容器１の容器本体部２ａの内径形状に合わせた形状（平面形状）を有する。
【００３６】
この例では、溶液収容容器１の容器本体部２ａの内径形状が筒状であるので、浮蓋３は、平面視した場合、円形形状（円形の平面形状）を有している。
【００３７】
浮蓋３は、容器本体部２ａの内径Ｄ２ａｉに等しいかこれよりやや小さい外径Ｄ３ｏを有する（Ｄ３ｏ≦Ｄ２ａｉ）。
【００３８】
且つ、浮蓋３は、くびれ部（この例では、口部）２ｂの内径Ｄ２ｂｉよりかなり大きい外径Ｄ３ｏを有する（Ｄ３ｏ＞＞Ｄ２ｂｉ）。
【００３９】
また、この浮蓋３には、切れ目Ｃ１により、帯状部Ｂ１が形成されている。
【００４０】
浮蓋３の切れ目Ｃ１は、例えば、カッター（切削道具）を用いて形成することができる。
【００４１】
この例では、浮蓋３の帯状部Ｂ１は、渦巻き形状の切れ目Ｃ１により形成されている。
【００４２】
帯状部Ｂ１は、くびれ部（この例では、口部）２ｂの内径Ｄ２ｂｉより小さい幅Ｄｂ１を有する（Ｄｂ１＜Ｄ２ｂｉ）。
【００４３】
即ち、この浮蓋３は、一体となっている際には、溶液収容容器１の容器本体部２ａの内径形状に合わせた形状（平面形状）を有し、且つ、容器本体部２ａの内径Ｄ２ａｉに等しいかこれよりやや小さい外径Ｄ３ｏを有する（Ｄ３ｏ≦Ｄ２ａｉ）。
【００４４】
一方、この浮蓋３は、渦巻き形状の切れ目Ｃ１により形成されている帯状部Ｂ１を解いた状態にすると、その幅を、帯状部Ｂ１の幅Ｄｂにすることができる。
【００４５】
即ち、この溶液収容容器１は、浮蓋３の外径Ｄ３ｏが、容器本体部２ａの内径Ｄ２ａｉよりやや小さく、くびれ部（この例では、口部）２ｂの内径Ｄ２ｂｉよりも大きくされているものの、浮蓋３に渦巻き形状の切れ目Ｃにより形成されている帯状部Ｂ１の幅Ｄｂ１が、くびれ部（この例では、口部）２ｂの内径Ｄ２ｂｉよりも小さくされているので、浮蓋３を渦巻き形状の切れ目Ｃ１に従って解いた状態にすることで、順次、その一端ｅ３ａから他端ｅ３ｂにかけて、くびれ部（この例では、口部）２ｂを介して、容器本体部２ａ内に入れていくことで、溶液収容容器１の容器本体部２ａ内に、浮蓋３を、簡単に、収容することができる。
【００４６】
尚、この浮蓋３には、浮蓋３の外径Ｄ３ｏが、容器本体部２ａの内径Ｄ２ａｉよりも大きい場合、帯状部Ｂ１が、渦巻き形状の切れ目Ｃ１により形成されているので、浮蓋３の外径Ｄ３ｏが、容器本体部２ａの内径Ｄ２ａｉよりもやや小さくなるように、その外延部を所定の幅分を切り取って使用できる、という効果もある。
【００４７】
なお、上記した実施例１では、浮蓋３の、渦巻き形状の切れ目Ｃ１により形成されている帯状部Ｂ１の幅が、同じ幅又は概ね同じ幅にされているものを例示したが、これは、単に例示であって、渦巻き形状の切れ目Ｃ１により形成されている帯状部Ｂ１の幅は、必ずしも、同じ幅又は概ね同じ幅にする必要はない。
【００４８】
図３は、本発明に係る浮蓋の他の一例を概略的に示す平面図である。
【００４９】
この浮蓋３Ａは、渦巻き形状の切れ目Ｃ２により形成されている帯状部Ｂ２の幅Ｄｂ２が、外側が概ね広く、内側に行くに従って、幅が狭くなっている。
【００５０】
帯状部Ｂ２は、くびれ部（この例では、口部）２ｂの内径Ｄ２ｂｉより小さい幅Ｄｂ２を有する（Ｄｂ２＜Ｄ２ｂｉ）。
【００５１】
この浮蓋３Ａは、渦巻き形状の切れ目Ｃ２により形成されている帯状部Ｂ２の幅Ｄｂ２が、外側が概ね広く、内側に行くに従って、幅が狭くなっているので、図２に示す、渦巻き形状の切れ目Ｃ１により形成されている帯状部Ｂ１の幅を同じ幅又は概ね同じ幅Ｄｂ１にしているものより、渦巻き形状の切れ目により形成されている帯状部Ｂ２の巻き数を少なくできる。
【００５２】
即ち、この浮蓋３Ａは、渦巻き形状の切れ目Ｃ１により形成されている帯状部Ｂ２の幅を同じ幅又は概ね同じ幅Ｄｂ１にしている浮蓋３に比べ、巻き数を少なくできた分だけ、容器本体部２ａと、容器本体部２ａの上方位置に容器本体部２ａの内径Ｄ２ａｉよりも小さい内径Ｄ２ｂｉを有するくびれ部（例えば、口部）２ｂとを備える容器２内に、容易に収容できる。
（実施例２）
図４は、本発明に係る浮蓋の他の一例を概略的に示す平面図である。
【００５３】
この浮蓋３Ｂは、浮蓋３とは、切れ目の設け方が異なる以外は、浮蓋３と同様の構成であるので、説明を容易とするため、浮蓋３Ｂの構成部材中、浮蓋３の構成部材に相当する構成部材については、浮蓋３の構成部材に付した参照符号を付して、その説明を省略する。
【００５４】
この浮蓋３Ｂは、帯状部Ｂ３を、部材の一方端から他方端までの途中の位置まで設けられた切れ目Ｃ３ａ・・・と、部材の他方端から一方端までの途中の位置まで設けられた切れ目Ｃ３ｂ・・・とを交互に設けることによりにより形成している。
【００５５】
帯状部Ｂ３は、くびれ部（この例では、口部）２ｂの内径Ｄ２ｂｉより小さい幅Ｄｂ２を有する（Ｄｂ３＜Ｄ２ｂｉ）。
【００５６】
従って、この浮蓋３Ｂは、例えば、この浮蓋３Ｂを収容する溶液収容容器が、溶液収容容器１と同様の構造、即ち、容器本体部２ａと、容器本体部２ａの上方位置に、容器本体部２ａの内径Ｄ２ａｉよりも小さい内径Ｄ２ｂ１を有するくびれ部（この例では、口部）２ｂとを備えるものである場合にあって、この浮蓋３Ｂの形状が、容器本体部２ａの内径形状に合わせた形状にされており、且つ、浮蓋３Ｂの外径Ｄ３ｏが、容器本体部２ａの内径Ｄ２ａｉよりやや小さく、且つ、容器２のくびれ部（この例では、口部）２ｂの内径Ｄ２ｂｉよりも大きい場合であっても、浮蓋３Ｂを溶液収容容器１内に収容する際に、部材の一方端から他方端までの途中の位置まで設けられた切れ目Ｃ３ａ・・・と、部材の他方端から一方端までの途中の位置まで設けられた切れ目Ｃ３ｂ・・・とを交互に設けることによりにより形成した形状の帯状部Ｂ２を解いた状態にして、順次、その一端ｅ３ａから他端ｅ３ｂにかけて、くびれ部（例えば、口部）２ｂを介して、容器本体部２ａ内に入れていくことで、溶液収容容器１の容器本体部２ａ内に、浮蓋３Ｂを、簡単に、収容することができる。
【００５７】
更に、この浮蓋３Ｂは、他方端までの途中の位置Ｐ１・・・及び一方端までの途中の位置Ｐ２・・・の各々には、部材の一方端から他方端までの途中の位置まで設けられた切れ目Ｃ３ａ・・・及び、部材の他方端から一方端までの途中の位置まで設けられた切れ目Ｃ３ｂ・・・に交差するように切れ目Ｃ４・・・を備える。
【００５８】
この結果、この浮蓋３Ｂは、部材の一方端から他方端までの途中の位置まで設けられた切れ目Ｃ３ａ・・・と、部材の他方端から一方端までの途中の位置まで設けられた切れ目Ｃ３ｂ・・・とを交互に設けることによりにより形成した形状の帯状部Ｂ３を解いた状態にした際に生じる、部材の一方端から他方端までの途中の位置まで設けられた切れ目Ｃ３ａ・・・と、部材の他方端から一方端までの途中の位置まで設けられた切れ目Ｃ３ｂ・・・との間の引きつれ現象が、この浮蓋３Ｂに設けられている、他方端までの途中の位置Ｐ１・・・及び一方端までの途中の位置Ｐ２・・・の各々に、部材の一方端から他方端までの途中の位置まで設けられた切れ目Ｃ３ａ・・・、及び、部材の他方端から一方端までの途中の位置まで設けられた切れ目Ｃ３ｂ・・・に交差するように設けられている切れ目Ｃ４・・・により緩和される。
【００５９】
この結果、この浮蓋３Ｂは、例えば、この浮蓋３Ｂを収容する溶液収容容器が、溶液収容容器１と同様の構造、即ち、容器本体部２ａと、容器本体部２ａの上方位置に、容器本体部２ａの内径Ｄ２ｉよりも小さい内径Ｄ２ｂｉを有するくびれ部（この例では、口部）２ｂとを備えるものである場合にあって、この浮蓋３Ｂの形状が、容器本体部２ａの内径形状に合わせた形状にされており、且つ、浮蓋３Ｂの外径Ｄ３ｏが、容器本体部２ａの内径Ｄ２ａｉよりやや小さく、且つ、容器２のくびれ部（この例では、口部）２ｂの内径Ｄ２ｂｉよりも大きい場合であっても、浮蓋３Ｂを溶液収容容器１内に収容する際に、部材の一方端から他方端までの途中の位置まで設けられた切れ目Ｃ３ａ・・・と、部材の他方端から一方端までの途中の位置まで設けられた切れ目Ｃ３ｂ・・・とを交互に設けることによりにより形成した形状の帯状部Ｂ２を解いた状態にして、順次、その一端ｅ３ａから他端ｅ３ｂにかけて、くびれ部（この例では、口部）２ｂを介して、容器本体部２ａ内に入れていくことで、溶液収容容器１の容器本体部２ａ内に、浮蓋３Ｂを、簡単に、収容することができる。
【００６０】
尚、溶液収容容器１では、浮蓋３、３Ａ、３Ｂにより、容器本体部２ａの内部に存在する空気と溶液Ｌとが、溶液Ｌを使用する時間以外の時間においては、遮断状態に保たれるので、この溶液収容容器１には、溶液収容容器１内に収容されている溶液Ｌが、空気との接触により変敗するのが防止される、という効果がある。
【産業上の利用可能性】
【００６１】
本発明に係る浮蓋を用いれば、溶液収容容器が、容器本体部と、容器本体部の上方位置に、容器本体部の内径よりも小さい内径を有するくびれ部（例えば、口部）とを備えるものである場合にあって、この浮蓋の形状が、容器本体部の内径形状に合わせた形状にされており、且つ、浮蓋の外径が、容器本体部の内径よりやや小さく、且つ、容器のくびれ部（例えば、口部）の内径よりも大きい場合であっても、浮蓋を溶液収容容器内に収容する際に、帯状部を解いた状態にして、順次、その一端から他端にかけて、くびれ部（例えば、口部）を介して、容器本体部内に入れていくことで、溶液収容容器の容器本体部内に、浮蓋を、簡単に、収容することができる。
【００６２】
この結果、本発明に係る浮蓋を用いれば、容器本体部の内部に存在する空気と溶液とが、溶液を使用する時間以外の時間においては、遮断状態に保たれ、溶液収容容器内に収容されている溶液が、空気との接触により変敗するのが防止される、という効果がある溶液収容容器を簡単に作ることができるので、産業上の利用可能性が高い。
【００６３】
また、本発明に係る溶液収容容器は、溶液収容容器が、容器本体部と、容器本体部の上方位置に、容器本体部の内径よりも小さい内径を有するくびれ部（例えば、口部）とを備えるものである場合にあって、この浮蓋の形状が、容器本体部の内径形状に合わせた形状にされており、且つ、浮蓋の外径が、容器本体部の内径よりやや小さく、且つ、容器のくびれ部（例えば、口部）の内径よりも大きい場合であっても、浮蓋を溶液収容容器内に収容する際に、帯状部を解いた状態にして、順次、その一端から他端にかけて、くびれ部（例えば、口部）を介して、容器本体部内に入れていくことで、溶液収容容器の容器本体部内に、浮蓋を、簡単に、収容することができる。
【００６４】
この結果、本発明に係る溶液収容容器は、容器本体部の内部に存在する空気と溶液とが、溶液を使用する時間以外の時間においては、遮断状態に保たれ、溶液収容容器内に収容されている溶液が、空気との接触により変敗するのが防止される、という効果がある溶液収容容器を簡単に作ることができるので、産業上の利用可能性が高い。
【図面の簡単な説明】
【００６５】
【図１】本発明に係る溶液収容容器の一例をその一部を切り欠いて概略的に示す部分断面図である。
【図２】本発明に係る浮蓋の一例を概略的に示す平面図である。
【図３】本発明に係る浮蓋の他の一例を概略的に示す平面図である。
【図４】本発明に係る浮蓋の他の一例を概略的に示す平面図である。
【図５】従来の、浮蓋を備える容器を概略的に示す部分断面図である。
【符号の説明】
【００６６】
１  溶液収容容器
２  容器
２ａ  容器本体部
２ｂ  くびれ部
３、３Ａ、３Ｂ  浮蓋
Ｂ１、Ｂ２、Ｂ３  帯状部
Ｃ１、Ｃ２、Ｃ３ａ、Ｃ３ｂ、Ｃ４  切れ目
【図１】
2008110775.tif 000003
【図２】
2008110775.tif 000004
【図３】
2008110775.tif 000005
【図４】
2008110775.tif 000006
【図５】
2008110775.tif 000007